(57)【要約】【課題】椅子の荷重支持部材を構成する基板の剛性及び撓み易さを維持しつつ、椅子のデザイン性の向上にも寄与する椅子用基板構造及びこれを用いた椅子を提供する。【解決手段】椅子用基板構造は、荷重支持部材の基板１４が、複数のスリット対を具備するスリット形成領域１５を備え、スリット対は、互いに並列に並ぶ一対のスリット状の開口部と、一対の開口部に挟まれる基板残存部と、を有し、このスリット対が列方向に複数並んでスリット列を形成し、スリット形成領域１５は、スリット列を複数並べて形成され、隣り合うスリット列は、列方向で相互にずれて配置される。椅子は、背凭れ１０に基板１４を有し、背凭れ１０の腰部支持部１１ａの上方から下方に亘ってスリット形成領域１５を形成し、スリット形成領域１５における腰部支持部１１ａよりも下方の部位が小スリット形成領域１５ｂとされる。【選択図】図２
2015083065.tif 000002
【特許請求の範囲】
【請求項１】
椅子の荷重支持部材に採用される椅子用基板構造において、
前記荷重支持部材を構成する基板が、複数のスリット対を具備するスリット形成領域を備え、
前記スリット対は、互いに並列に並ぶ一対のスリット状の開口部と、前記一対の開口部に挟まれる基板残存部と、を有し、このスリット対が、前記開口部の並び方向と直交する列方向に複数並んでスリット列を形成し、
前記スリット形成領域は、前記スリット列を前記並び方向に複数並べて形成され、
前記並び方向で隣り合う前記スリット列は、前記列方向で相互にずれて配置されることを特徴とする椅子用基板構造。
【請求項２】
前記スリット列が、前記スリット対を前記列方向で等間隔に複数並べて形成され、
前記並び方向で隣り合う前記スリット列が、前記列方向で相互に前記等間隔の半ピッチ分ずれて配置されることを特徴とする請求項１に記載の椅子用基板構造。
【請求項３】
複数の前記スリット対の少なくとも一つが、前記並び方向で当該スリット対の外側に凸となるように湾曲又は屈曲した前記開口部としての外凸開口部により形成されることを特徴とする請求項１又は２に記載の椅子用基板構造。
【請求項４】
一対の前記外凸開口部の間の基板残存部に、内側開口部がさらに形成されることを特徴とする請求項３に記載の椅子用基板構造。
【請求項５】
複数の前記スリット対の少なくとも一つが、前記並び方向で当該スリット対の内側に凸となるように湾曲又は屈曲した前記開口部としての内凸開口部により形成されることを特徴とする請求項１から４の何れか一項に記載の椅子用基板構造。
【請求項６】
前記内凸開口部により形成されて前記列方向で隣り合う前記スリット対の間に、端開口部がさらに形成されることを特徴とする請求項５に記載の椅子用基板構造。
【請求項７】
脚体と、前記脚体に支持される座体及び背凭れと、を備える椅子において、
前記背凭れが、請求項１から６の何れか一項に記載の椅子用基板構造を具備した基板を有し、
前記基板が、前記背凭れの腰部支持部の上方から下方に亘ってスリット形成領域を形成し、
前記スリット形成領域における前記腰部支持部よりも下方の部位が、前記開口部を前記列方向で分割して分割開口部とした分割スリット形成領域とされることを特徴とする椅子。
【発明の詳細な説明】
【技術分野】
【０００１】
本発明は、椅子用基板構造及び椅子に関する。
【背景技術】
【０００２】
特許文献１−４には、椅子の背凭れを構成する基板を、開口部によって高い変形許容度を有する一方で、単体での強度も保たれた部材とする技術が記載されている。具体的には、椅子本体への連結部位である基板の外周部に開口部を形成しないこと、及び外周部の板厚を大とすることによって積極的に高剛性部位を形成すること、といった技術が開示されている。これらの技術には、基板の外周部を椅子本体の強度部材に支持することによって、基板の変形部位の変形許容度を相対的に大とし、大きな荷重をかけることを可能にするとともに、椅子本体によって強度を維持するという設計思想がある。
【先行技術文献】
【特許文献】
【０００３】
【特許文献１】特許第３８９５０８４号公報
【特許文献２】特許第４２９５２６６号公報
【特許文献３】特許第５２７６３０４号公報
【特許文献４】特許第５２９８３２８号公報
【発明の概要】
【発明が解決しようとする課題】
【０００４】
上記技術では、基板の変形部位の撓みを良好にするために、一定方向に長いスリット状の開口部を前記一定方向で複数並べて開口列とし、この開口列を前記一定方向でずらしつつ並列に並べることで、特にスリット状の開口部が拡幅する方向での撓みを良好にしている。
しかし、より大きな撓みを実現しようとして、単に開口部の大きさを大にしてしまうと、基板の剛性（荷重支持力）を損なう虞がある。また、開口部を避けて形成される残存部は、基板が外部に露出する場合には椅子のデザインにも影響するため、さらなる工夫が要望されている。
【０００５】
本発明は上記事情に鑑みてなされたもので、椅子の荷重支持部材を構成する基板の剛性及び撓み易さを維持しつつ、椅子のデザイン性の向上にも寄与する椅子用基板構造及びこれを用いた椅子を提供する。
【課題を解決するための手段】
【０００６】
上記目的を達成するために、本発明は以下の手段を採用している。
すなわち、本発明に係る椅子用基板構造は、椅子の荷重支持部材に採用される椅子用基板構造において、前記荷重支持部材を構成する基板が、複数のスリット対を具備するスリット形成領域を備え、前記スリット対は、互いに並列に並ぶ一対のスリット状の開口部と、前記一対の開口部に挟まれる基板残存部と、を有し、このスリット対が、前記開口部の並び方向と直交する列方向に複数並んでスリット列を形成し、前記スリット形成領域は、前記スリット列を前記並び方向に複数並べて形成され、前記並び方向で隣り合う前記スリット列は、前記列方向で相互にずれて配置されることを特徴とする。
【０００７】
この構成によれば、一対のスリット状の開口部を並べたスリット対を基板に配列することで、スリット対が一つの大きな開口部として機能して基板の撓みを良好にする一方、この大きな開口部の中央を基板残存部が横断することで、基板残存部による適度な剛性が確保される。
すなわち、単に開口部の大きさを大とする場合と比べて、基板残存部による荷重支持力が得られるため、スリット形成領域の柔軟な変形を許容した上で、基板の剛性を確保することができる。
また、単独の開口部よりも大きいスリット対が規則的に並んで形成されることで、遠目にも幾何学模様として認識し易く、基板の開口面積を抑える効果と相まって、デザイン性の向上にも寄与することができる。
なお、前記荷重支持部材とは、座体及び背凭れの他、ランバーサポートやヘッドレスト等も含む概念である。
【０００８】
本発明に係る椅子用基板構造は、前記スリット列が、前記スリット対を前記列方向で等間隔に複数並べて形成され、前記並び方向で隣り合う前記スリット列が、前記列方向で相互に前記等間隔の半ピッチ分ずれて配置される構成でもよい。
この構成によれば、スリット対が千鳥状に配置されることとなり、スリット形成領域をより変形し易くすることができる。
【０００９】
また、本発明に係る椅子用基板構造は、複数の前記スリット対の少なくとも一つが、前記並び方向で当該スリット対の外側に凸となるように湾曲又は屈曲した前記開口部としての外凸開口部により形成される構成でもよい。
この構成によれば、スリット対内側の基板残存部の両端が幅狭となり、基板残存部による柔軟な荷重支持力を得ることができる。
この場合、一対の前記外凸開口部の間の基板残存部に、内側開口部がさらに形成される構成でもよい。
この構成によれば、スリット対内側の基板残存部自体を撓み易くし、基板残存部によるより柔軟な荷重支持力を得ることができる。
【００１０】
また、本発明に係る椅子用基板構造は、複数の前記スリット対の少なくとも一つが、前記並び方向で当該スリット対の内側に凸となるように湾曲又は屈曲した前記開口部としての内凸開口部により形成される構成でもよい。
この構成によれば、スリット対内側の基板残存部の中間が幅狭となり、基板残存部自体を撓み易くして柔軟な荷重支持力を得ることができる。
この場合、前記内凸開口部により形成されて前記列方向で隣り合う前記スリット対の間に、端開口部がさらに形成される構成でもよい。
この構成によれば、スリット対内側の基板残存部の端部を撓み易くし、基板残存部によるより柔軟な荷重支持力を得ることができる。
【００１１】
本発明に係る椅子は、脚体と、前記脚体に支持される座体及び背凭れと、を備える椅子において、前記背凭れが、上記の何れかの椅子用基板構造を具備した基板を有し、前記基板が、前記背凭れの腰部支持部の上方から下方に亘って前記スリット形成領域を形成し、前記スリット形成領域における前記腰部支持部よりも下方の部位が、前記開口部を前記列方向で分割して分割開口部とした分割スリット形成領域とされることを特徴とする。
この構成によれば、上記した種々の作用効果を奏する背凭れを構成することができる。
特に、分割スリット形成領域では、スリット対が開口部の形状に沿う複数の分割開口部に分割されるので、開口部の大きさが小さくなって基板の開口面積を抑え、かつ分割された分割開口部間にも基板残存部が残って基板の剛性を高める。
すなわち、背凭れにおける腰部支持部よりも下方では、分割スリット形成領域により基板の剛性を高め、着座者の腰部を良好に支持することができる。また、スリット形成領域全体で同様なパターンの模様を形成でき、デザイン性の向上にも寄与することができる。
【発明の効果】
【００１２】
本発明によれば、椅子の荷重支持部材を構成する基板の剛性及び撓み易さを維持しつつ、椅子のデザイン性の向上にも寄与する椅子用基板構造及びこれを用いた椅子を提供することができる。
【図面の簡単な説明】
【００１３】
【図１】この発明の実施形態における椅子を背凭れの背面側かつ上側方から見た斜視図である。
【図２】上記椅子を背凭れの正面側から見た正面図である。
【図３】図２のＩＩＩ部拡大図である。
【図４】図２のＩＶ部拡大図である。
【図５】本実施形態の変形例を示す図３に相当する説明図である。
【図６】本実施形態の他の変形例を示す図３に相当する説明図である。
【発明を実施するための形態】
【００１４】
以下、本発明の一実施形態について図面を参照して説明する。なお、以下の説明では、椅子の座体上に背凭れに背を向けて着座した着座者の「前方」を図中矢印ＦＲで示し、前記着座者の「上方」を図中矢印ＵＰで示し、上記着座者の「左方」を図中矢印ＬＨで示す。
【００１５】
図１、図２に示すように、本実施形態の椅子１は、フロアＦ上に載置されるキャスタ７ａ付きの多岐脚７と、多岐脚７の中央部より起立する脚柱８と、脚柱８の上端部に取り付けられるボックス状の支基３と、支基３の上方に支持される座体４と、支基３にリクライニング可能に支持される枠状の背凭れ支持部材９と、背凭れ支持部材９の前面に取り付けられる背凭れ１０と、を備える。
本実施形態では、多岐脚７、脚柱８、支基３及び背凭れ支持部材９を含む構造体を椅子本体２と称することがある。なお、図中の椅子１は、座体４の下面の左右側部又は支基３の左右側部に支柱が支持される左右一対の肘掛け６をさらに備える。
【００１６】
背凭れ１０は、例えば合成樹脂製の基板１４のみで構成される。背凭れ１０（基板１４）は、正面視（前面視）で概略矩形状をなし、その上下中間部よりもやや下側の高さとなる部位を境界部１１として、上側部位の左右幅を下側部位の左右幅よりも広げて形成される。境界部１１は、例えば肘掛け６の上面と同等の高さに設定される。以下、前記上側部位を幅広部１２、下側部位を幅狭部１３という。
【００１７】
基板１４は、その外周部を除いた領域を後に詳述するスリット対を多数形成したスリット形成領域１５とし、外周部はスリット対を形成せずに比較的剛性の高い枠部１６とした構成を有する。
枠部１６は、背凭れ１０の正面視矩形状の四辺に亘って連続的に形成される。枠部１６における幅広部１２の左右両側に位置する部位は、他の部位よりも左右幅を広げた幅広枠部１６ａとされる。これら左右の幅広枠部１６ａの背面（後面）に沿って、背凭れ支持部材９の左右の支持部９ａがそれぞれ配置される。
【００１８】
図中の背凭れ支持部材９は、左右の支持部９ａと、背凭れ１０の上端部の後方に離間した位置で左右の支持部９ａの上端間を連結する上辺部９ｂと、左右の支持部９ａの下端からそれぞれ幅狭部１３の左右両側の後方に離間した位置で下方に延びる左右の下方延出部９ｃと、左右の下方延出部９ｃの下端間を連結する下辺部９ｄと、下辺部９ｄの左右中央部から支基３に向かって延びる基部９ｅと、を有する。なお、本実施形態の背凭れ支持部材９は、その下部が左右の下方延出部９ｃと下辺部９ｄとを有してＵ字形状をなすが、これに限らず、例えば下部が左右の支持部９ａの下端と基部９ｅの上端とを連結するＹ字形状をなしてもよい。
【００１９】
背凭れ１０は、左右の幅広枠部１６ａをそれぞれ背凭れ支持部材９の左右の支持部９ａに固定的に支持されるとともに、下端部の左右中間部を背凭れ支持部材９の下端部の左右中間部に固定的に支持される。背凭れ１０は、比較的剛性の高い背凭れ支持部材９に対して可撓性に富み、背凭れ支持部材９への固定部を除く部位を着座者からの荷重により柔軟に撓ませる。他方、背凭れ１０の強度剛性は背凭れ支持部材９を含む椅子本体２によって確保される。
【００２０】
背凭れ１０は、着座者の背中に沿うように、平面視（上面視）で後方に凸の湾曲形状をなし、かつ着座者の腰部を後方から支持し易いように、側面視で前記境界部１１を前方に凸の頂部とした緩やかな屈曲形状とされる。境界部１１は、着座者の腰部を後方から支持する腰部支持部１１ａを構成する。
【００２１】
図３、図４に示すように、スリット形成領域１５は、幅広部１２では開口面積の割合が比較的大きい大スリット形成領域１５ａとされ、幅狭部１３では開口面積の割合が比較的小さい小スリット形成領域１５ｂとされる。スリット形成領域１５の開口面積の割合は撓み変形のし易さに影響することから、大スリット形成領域１５ａは撓み変形が比較的し易く、小スリット形成領域１５ｂは撓み変形が比較的し難い。
【００２２】
図３を参照し、スリット形成領域１５は、上下方向に長いスリット状の開口部を左右方向で一対並べてスリット対を形成し、このスリット対を上下方向で等間隔に複数並べてスリット列を形成し、さらにこのスリット列を左右方向で複数並べるとともに隣り合うスリット列を相互に上下方向で前記等間隔の半ピッチ分ずらした配置として形成される。換言すれば、スリット形成領域１５は、スリット対を千鳥状に多数配置して形成される。以下、スリット形成領域１５における左右方向を並び方向、上下方向を列方向ということがある。
【００２３】
なお、スリット状の開口部とは、直線形状、屈曲形状及び湾曲形状等の種々の態様で所定方向に延びる幅狭な開口全般を示す。また、スリット対とは、同一又は線対称の開口部を並列に一対並べて形成される単位を示す。スリット対における一対の開口部は、少なくとも両端部が互いに分離することで認識される。
【００２４】
大スリット形成領域１５ａのスリット対は、一対の開口部における並び方向の外側に凸となるように湾曲（又は屈曲）した外凸開口部２１により形成される外凸スリット対２２と、一対の開口部における並び方向の内側に凸となるように湾曲（又は屈曲）した内凸開口部２５により形成される内凸スリット対２６と、に分けられる。外凸スリット対２２は、上下方向に複数並んで外凸スリット列２３を形成し、内凸スリット対２６は、上下方向に複数並んで内凸スリット列２７を形成する。
【００２５】
外凸スリット列２３における外凸スリット対２２の上下方向の並びのピッチと、内凸スリット列２７における内凸スリット対２６の上下方向の並びのピッチとは、互いに同一とされる。また、外凸スリット対２２（外凸開口部２１）の上下幅と、内凸スリット対２６（内凸開口部２５）の上下幅とも互いに同一とされる。外凸スリット列２３と内凸スリット列２７とは、左右方向で交互に並び、かつ隣り合うもの同士で上下方向で半ピッチ分ずれて配置される。
【００２６】
図中符号２１ａ，２５ａは各開口部２１，２５の上下端部、符号２２ａ，２６ａは各スリット対２２，２６における一対の開口部２１，２５間に残る基板残存部、符号２３ａ，２７ａは上下に並ぶ各スリット対２２，２６の間に残るスリット対間残存部、符号２４，２８は各スリット列２３，２７において基板残存部２２ａ，２６ａ及びスリット対間残存部２３ａ，２７ａが連なって形成される基板残存列、符号２９は隣り合うスリット列２３，２７の間に残るスリット列間残存列、をそれぞれ示す。
【００２７】
外凸スリット対２２の基板残存部２２ａの上下端部は、一対の外凸開口部２１の上下端部２１ａが互いに近接することで左右幅が狭められる。これにより、外凸スリット対２２の基板残存部２２ａにおける上下方向に沿う軸回りの捩じれも含めた変形が良好になる。外凸スリット対２２の基板残存部２２ａの中央部には、上下に長い楕円形状の内側開口部２２ｂがさらに形成される。
【００２８】
一方、内凸スリット対２６の基板残存部２６ａの上下端部は、一対の内凸開口部２５の上下端部２５ａが互いに離間することで左右幅が広げられる。上下に並ぶ内凸スリット対２６の間のスリット対間残存部２７ａには、これを挟む内凸スリット対２６における一対の内凸開口部２５の上下端部２５ａ間に入り込むように、上下に長い楕円形状の端部開口部２６ｂが形成される。これにより、内凸スリット対２６の基板残存部２６ａの変形が良好になる。基板残存部２６ａの中間部は左右幅が狭いので、基板残存部２６ａ自体も柔軟に変形する。
【００２９】
スリット列間残存列２９における外凸スリット列２３の各スリット対間残存部２３ａの左右両側（内凸スリット列２７の各内凸スリット対２６の左右両側）には、それぞれ上下に長い楕円形状の列間開口部２９ａが形成される。これにより、各基板残存列２４，２８及びスリット列間残存列２９に概ね均等に上下に長い楕円形状の開口部が形成され、スリット形成領域１５全体の可撓性の向上に寄与する。
【００３０】
スリット形成領域１５は、背凭れ１０における前方に凸の腰部支持部１１ａを境に、その上方を大スリット形成領域１５ａ、下方を小スリット形成領域１５ｂとする。
図４を参照し、小スリット形成領域１５ｂは、大スリット形成領域１５ａにおける上下に長いスリット状の開口部２１，２５をそれぞれ列方向で二分割して分割開口部３１，３５としたものである。これにより、分割開口部３１，３５間にも分割間残存部３１ａ，３５ａが形成され、大スリット形成領域１５ａよりも開口面積が抑えられるとともに剛性が高められる。分割開口部３１は分割前のスリット状の開口部２１の形状に、分割開口部３５は分割前のスリット状の開口部２５の形状に、それぞれ沿うように形成されるため、スリット形成領域１５全体で同様なパターンの模様が形成される。
【００３１】
以下、スリット形成領域１５の作用について説明する。
まず、背凭れ１０（基板１４）に着座者の身体から後向きの荷重が入力されると、各スリット対２２，２６をそれぞれ形成する一対の開口部２１，２５は、それぞれ上下方向に長い縦長であることから、左右方向（並び方向）に広がるように変形する。したがって、各スリット対２２，２６は、全体として左右方向に広がるように変形する。
また、左右方向に並ぶスリット対２２，２６は、相互に上下方向（列方向）にずれた状態にあることから、各スリット対２２，２６を形成する開口部２１，２５も上下方向にずれた状態となる。このため、各開口部２１，２５は、左右方向に広がる変形をする際に、左右方向で隣り合う開口部２１，２５に変形を阻害されずに変形することができる。
このとき、各スリット対２２，２６に基板残存部２２ａ，２６ａが形成されていることから、各スリット対２２，２６の過度な広がりが抑制され、適度な剛性と良好な座り心地を維持することができる。
【００３２】
以上説明したように、上記実施形態における椅子用基板構造は、椅子１の荷重支持部材に採用されるもので、前記荷重支持部材を構成する基板１４が、スリット状の開口部２１，２５を並列に一対並べて基板残存部２２ａ，２６ａを挟んだスリット対２２，２６とし、前記スリット対２２，２６を前記開口部２１，２５の並び方向と直交する列方向で複数並べてスリット列２３，２７とし、前記スリット列２３，２７をさらに前記並び方向で複数並べるとともに、隣り合う前記スリット列２３，２７を前記列方向で相互にずらして配置してスリット形成領域１５を形成したものである。
【００３３】
この構成によれば、一対のスリット状の開口部２１，２５を並べたスリット対２２，２６を基板１４に配列することで、スリット対２２，２６が一つの大きな開口部として機能して基板１４の撓みを良好にする一方、この大きな開口部の中央を基板残存部２２ａ，２６ａが横断することで、基板残存部２２ａ，２６ａによる適度な剛性が確保される。
すなわち、単に開口部の大きさを大とする場合と比べて、基板残存部２２ａ，２６ａによる荷重支持力が得られるため、スリット形成領域１５の柔軟な変形を許容した上で、基板１４の剛性を確保することができる。
また、単独の開口部よりも大きいスリット対２２，２６が規則的に並んで形成されることで、遠目にも幾何学模様として認識し易く、基板１４の開口面積を抑える効果と相まって、デザイン性の向上にも寄与することができる。
【００３４】
また、前記スリット列２３，２７が、前記スリット対２２，２６を前記列方向で等間隔に複数並べて形成され、前記並び方向で隣り合う前記スリット列２３，２７が、前記列方向で相互に前記等間隔の半ピッチ分ずれて配置されることで、スリット対２２，２６が千鳥状に配置されることとなり、スリット形成領域１５をより変形し易くすることができる。
【００３５】
また、前記スリット形成領域１５が、前記並び方向でスリット対の外側に凸となるように湾曲又は屈曲した外凸開口部２１により形成される外凸スリット対２２を有することで、外凸スリット対２２内側の基板残存部２２ａの両端が幅狭となり、基板残存部２２ａによる柔軟な荷重支持力を得ることができる。
また、一対の外凸開口部２１の間の基板残存部２２ａに、内側開口部２２ｂがさらに形成されることで、外凸スリット対２２内側の基板残存部２２ａ自体を撓み易くし、基板残存部２２ａによるより柔軟な荷重支持力を得ることができる。
【００３６】
また、前記スリット形成領域１５が、前記並び方向でスリット対の内側に凸となるように湾曲又は屈曲した内凸開口部２５により形成される内凸スリット対２６を有することで、内凸スリット対２６内側の基板残存部２６ａの中間が幅狭となり、基板残存部２６ａ自体を撓み易くして柔軟な荷重支持力を得ることができる。
また、前記列方向で隣り合う内凸スリット対２６の間に、端部開口部２６ｂがさらに形成されることで、内凸スリット対２６内側の基板残存部２６ａの端部を撓み易くし、基板残存部２６ａによるより柔軟な荷重支持力を得ることができる。
【００３７】
そして、本実施形態の椅子１は、脚体と、前記脚体に支持される座体４及び背凭れ１０と、を備え、前記背凭れ１０が、上記椅子用基板構造を具備した基板１４を有し、前記基板１４が、前記背凭れ１０の腰部支持部１１ａの上方から下方に亘って前記スリット形成領域１５を形成し、前記スリット形成領域１５における前記腰部支持部１１ａよりも下方の部位が、前記開口部２１，２５を前記列方向で分割して分割開口部３１，３５とした小スリット形成領域１５ｂとされる。
【００３８】
この構成によれば、上記した種々の作用効果を奏する背凭れ１０を構成することができる。
特に、小スリット形成領域１５ｂでは、スリット対２２，２６が開口部２１，２５の形状に沿う複数の分割開口部３１，３５に分割されるので、開口部の大きさが小さくなって基板１４の開口面積を抑え、かつ分割された分割開口部３１，３５間にも分割間残存部３１ａ，３５ａが残って基板１４の剛性を高める。
すなわち、背凭れ１０における腰部支持部１１ａよりも下方では、小スリット形成領域１５ｂにより基板１４の剛性を高め、着座者の腰部を良好に支持することができる。また、スリット形成領域１５全体で同様なパターンの模様を形成でき、デザイン性の向上にも寄与することができる。
【００３９】
なお、本発明は上記実施形態に限られるものではなく、例えば、単に一方向に延びる直線状の開口部でスリット対を形成してもよい。また、一箇所の湾曲又は屈曲ではなく、二箇所以上の湾曲及び屈曲等で形成された開口部でスリット対を形成してもよい。
【００４０】
図５は、例えば凹凸三箇所の湾曲部を有する波形状の開口部によりスリット対を形成した例を示す。開口部は、上下端部が並び方向内側を指向した内向き開口部１２１により形成される内向きスリット対１２２と、上下端部が並び方向外側を指向した外向き開口部１２５により形成される外向きスリット対１２６と、に分けられる。内向きスリット対１２２は上下方向に複数並んで内向きスリット列１２３を形成し、外向きスリット対１２６は上下方向に複数並んで外向きスリット列１２７を形成する。各スリット列１２３，１２７は交互に並び、かつ互いに半ピッチ分ずれて配置される。各スリット列及び隣り合うスリット列の間には、上下に長い楕円形状の小開口部１２８が適宜形成される。
この例でも、各スリット対１２２，１２６が左右方向に良好に広がるとともに、開口部間の基板残存部によって各スリット対１２２，１２６の過度な広がりが抑制され、適度な剛性と良好な座り心地を実現できる。
【００４１】
図６は、例えば一対の開口部２２１の上下間の所定範囲を一体化して合流部２２２ａとしたスリット対２２２の例を示す。スリット対２２２は上下方向に複数並んでスリット列２２３を形成する。スリット列２２３は上下に半ピッチ分ずれながら複数並んで配置される。スリット対２２２における各開口部２２１の上下端側は互いに分岐し、例えば上下端部が上下方向を指向するように湾曲してＵ字形状を形成する。なお、当該部位の形状は、上下端部が分岐したＶ字形状等であってもよい。上下に並ぶスリット対２２２間に残るスリット対間残存部２２３ａは、スリット列間残存部２２４に支持される。スリット対間残存部２２３ａの中央には、上下に長い楕円形状の小開口部２２３ｂが形成される。
この例では、合流部２２２ａも左右方向に広がることで、スリット対２２２がより広がり易くすることができる。
【００４２】
ここで、上記椅子用基板構造を適用する荷重支持部材は、座体４及び背凭れ１０の他、ランバーサポートやヘッドレスト等であってもよい。荷重支持部材は、基板にクッション材及び表皮等を設けた構成でもよい。すなわち、上記実施形態の如く基板が荷重支持部材の全部を構成するものではなく、基板が荷重支持部材の一部を構成するものであってもよい。
そして、上記した構成は本発明の一例であり、当該発明の要旨を逸脱しない範囲で種々の変更が可能である。
【符号の説明】
【００４３】
１  椅子
４  座体
１０  背凭れ
１１ａ  腰部支持部
１４  基板
１５  スリット形成領域
１５ｂ  小スリット形成領域（分割スリット形成領域）
２１  外凸開口部（開口部）
２２  外凸スリット対（スリット対）
２２ａ，２６ａ  基板残存部
２２ｂ  内側開口部
２３  外凸スリット列（スリット列）
２５  内凸開口部（開口部）
２６  内凸スリット対（スリット対）
２６ｂ  端部開口部
２７  内凸スリット列（スリット列）
３１，３５  分割開口部
【図１】
2015083065.tif 000003
【図２】
2015083065.tif 000004
【図３】
2015083065.tif 000005
【図４】
2015083065.tif 000006
【図５】
2015083065.tif 000007
【図６】
2015083065.tif 000008